(57)【要約】【課題】特に食品工場、薬品工場、業務用厨房箇所などの床面や土間などに簡便、且つ迅速に配設し、衛生面上でも優れるステンレス製細型排水溝及びその施工法の提供。【解決手段】排水溝はステンレス板材を使用し溝巾寸法２ｃｍ〜５ｃｍ、溝深さ寸法３ｃｍ〜２０ｃｍ、長さ寸法１００ｃｍ〜６００ｃｍで上部に張り出し鍔体を形成したＵ字溝体に型打成形し、張り出し鍔体には補強用の棒管材を一体化させる。このさいＵ字溝体の底部には、その長さ方向片端から他端へ１／５０〜１／３００の勾配を形成させるのであり、またＵ字溝体の左右外側壁の適当間隔位置には、外向き状にＬ字状支持板を取付けると共に、別途に支持架台を用意し、これによりＵ字溝体を捨てコンクリートやスラブコンクリート上の一定高さ位置へ載置させ、あとモルタル、コンクリート打ちを行う。【選択図】　　　図６
2004100240.tif 000002
【特許請求の範囲】
【請求項１】
ステンレス板材を溝巾寸法２ｃｍ〜５ｃｍ、溝深さ寸法３ｃｍ〜２０ｃｍ、長さ寸法１００ｃｍ〜６００ｃｍで上部に張り出し鍔体を形成したＵ字溝体に型打成形し、張り出し鍔体には補強用の棒管材を一体化させたことを特徴とするステンレス製細型排水溝。
【請求項２】
張り出し鍔体を逆Ｌ字状に形成し、その張り出し巾寸法は１．５ｃｍ〜３ｃｍ、垂直片長さは０．５ｃｍ〜３ｃｍとなしたことを特徴とする請求項１記載のステンレス製細型排水溝。
【請求項３】
Ｕ字溝体の底部に対し、その長さ方向片端から他端へ１／５０〜１／３００の勾配を形成させたことを特徴とする請求項１又は２記載のステンレス製細型排水溝。
【請求項４】
Ｕ字溝体の左右外側壁の適当間隔位置に対し、外向き状にＬ字状支持板を取付け、該Ｌ字状支持板にはボルト孔を穿設すると共に、該ボルト孔へ支持架台の立設ボルトを挿入し、上記Ｌ字状支持板を立設ボルトの適当高さ箇所へナット止着させ、これによりＵ字溝体を捨てコンクリートやスラブコンクリート上の一定高さ位置へ適宜調整しながら載置されるものとなしたことを特徴とする請求項１，２又は３記載のステンレス製細型排水溝の施工法。
【請求項５】
請求項４に於いてステンレス製細型排水溝の単数或いは複数を一定の勾配下に接ぎ合わせ、その下降勾配となされる下端縁には排水桝を接続させると共に、モルタルやコンクリート打ちを行って土間、床面下へ埋設することを特徴とするステンレス製細型排水溝の施工法。
【発明の詳細な説明】
【０００１】
【発明の属する技術分野】
本発明は食品工場、薬品工場、業務用厨房、その他等の土間や床面に配設されるステンレス製細型排水溝及びその施工法に関する。
【０００２】
【従来の技術】
一般的に排水溝の溝巾は広巾であって、その上面には格子蓋などが取付けられるものとなっている。ところで、上記蓋付きの側溝は側溝と蓋との間隙及び蓋の裏面側などに対し、夾雑物が付着して不衛生となるものである。このさい、蓋を省略することもできるが、広巾のものでは歩行や作業車の走行などに支障を生じさせることになる。
【０００３】
【特許文献１】
実公昭５７−２３５８７号公報
【特許文献２】
特許第２５６６５０６号公報
【０００４】
【発明が解決しようとする課題】
本発明は排水溝にステンレス材を使用して特定寸法下で独特構造の細型Ｕ字溝体のものに一体成形し、常に蓋無しで使用するものであり、且つ蓋無しのため蓋に夾雑物が付着して不衛生となったりする問題を解消させることができる。また、広巾の側溝では一般的に溝内に付着して残留される水分量が多くなることもあって室内湿度が上昇し、このために室内細菌数が増加するなどの問題がある。
本発明は歩行や作業者などの走行に何ら支障を生じさせない細型排水溝及びその施工法を提供し、上記問題点の解決を図らんとするものである。
【０００５】
【課題を解決するための手段】
本発明に係る排水溝はステンレス板材を使用し、これを溝巾寸法２ｃｍ〜５ｃｍ、溝深さ寸法３ｃｍ〜２０ｃｍ、長さ寸法１００ｃｍ〜６００ｃｍで上部に張り出し鍔体の形成されるＵ字溝体に型打成形し、且つ該張り出し鍔体には補強用の棒管材を一体化させたことを特徴とするステンレス製細型排水溝であり、このさい上記張り出し鍔体は逆Ｌ字状に形成したものとなし、且つその張り出し巾寸法は１．５ｃｍ〜３ｃｍ、垂直片長さは０．５ｃｍ〜３ｃｍとなさしめる。又、Ｕ字溝体の底部にはその長さ方向片端から他端へ向けて１／５０〜１／３００の勾配を形成させたものとする。
【０００６】
ところで、上記構成のステンレス製細型排水溝にはＵ字溝体の左右外側壁の適当間隔位置に対し、外向き状にＬ字状支持板を取付け、該Ｌ字状支持板にはボルト孔を穿設すると共に、該ボルト孔へ支持架台の立設ボルトを挿入し、上記Ｌ字状支持板を立設ボルトの適当高さ箇所へナット止着させ、これによりＵ字溝体を捨てコンクリートやスラブコンクリート上の一定高さ位置へ適宜調整しながら載置されるものとなすのであり、而して実際には上記ステンレス製細型排水溝の単数或いは複数を一定の勾配下に接ぎ合わせ、その下降勾配の下端縁には排水桝を接続させると共に、モルタルやコンクリート打ちを行って土間、床面などの適所に対し排水処理目的に埋設施工するのである。
【０００７】
【発明の実施の形態】
図１は本発明に係る細型Ｕ字溝体１の一例を示すのであって、該細型Ｕ字溝体１は肉厚１ｍｍ〜３ｍｍ程度のステンレス材を使用し溝巾寸法ｓを２ｃｍ〜５ｃｍ、溝深さｈ寸法を３ｃｍ〜２０ｃｍの断面Ｕ字形に型打ち成形させるのであり、このさいその溝上縁側には図示例の如く逆Ｌ字状の張り出し鍔体の形成されるものとなされるのであり、一般的に該張り出し鍔体の水平部１ａの巾寸法ｅは１．５ｃｍ〜３ｃｍ、垂直部１ｂの長さ寸法ｆは０．５ｃｍ〜３ｃｍとなされる。
また、Ｕ字溝体１の全体長さ寸法Ｌは１００ｃｍ〜６００ｃｍの範囲内で適宜な規格品に作成されるのであり、且つ溝底部ｇにはその辺端ｍから他端ｎに向かって１／５０〜１／３００の勾配θが形成されるものとなされる。
【０００８】
図２は他の例のＵ字溝体１’を示すものであって、上記に於ける長さ方向の片端にも張り出し鍔体１’ａ，１’ｂが形成されたものとなされてあり、該Ｕ字溝体１’は一般的に後述する排水桝の設置のさいに排水桝へ向かう流入始端側箇所へ取付けるものとなされる。
【０００９】
図３Ａ，Ｂは上記Ｕ字溝体１，１’の左右側壁の適当間隔位置に対し、対称関係に外向き方向へ一対のＬ字状板２を溶着させ、且つその水平面にはボルト孔２ａを穿設するほか、張り出し鍔体１ａ，１ｂの裏面側に対し補強用目的に棒管材３（図示例では方形の中空管材）を一体的に取付けたものとなされる。
【００１０】
上記構成のＵ字溝体１は全て工場内で製造されるのであり、且つ適宜一定の規格下に即ち１００ｃｍ，１５０ｃｍ，２００ｃｍ・・・等の如き長さ寸法に作成される。このさい長さ寸法の短いものでは左右側壁面のＬ字状板２の取付けをその長さ方向の１箇所だけにすることができる。また、これらは現場作業で適宜必要長さ寸法のものとするべく接ぎ合わせたり、切断したりするのである。
【００１１】
図４は上記Ｕ字溝体（図示例は１’）の施工例を示すものであり、図５は図４のＸ−Ｘ線断面図である。これら図面に見られる通り、施工にさいしては土間や床面下の捨てコンクリート或いはスラブコンクリート４上に対し支持架台５を使用し、適宜必要な一定高さ位置に保持させるようになすのであり、即ち支持架台５は基台５ａ上へ上記Ｌ字状板２の各透孔２ａへ挿入されるものとなされる一対のボルト６を一定高さに立設させるものとなし、且つ図示例の如く挿入された透孔２ａの上下箇所をナット７により螺合止着させるのである。而して、これによりＵ字溝体１（１’）は安定的に保持されるものとなるが、このさいその張り出し鍔の高さ位置が土間や床面の仕上面と一致するようにＬ字状板２を止着させてなる上下ナット７の夫々れを適宜回動させて行うのであり、またこれは同時にＵ字溝体１’（１）の底部が排水桝８に向かって下降傾斜する一定の勾配が得られるようにも調整するのである。本発明では以上による調整後にモルタルやコンクリート９打ちを行い、且つ上面には合成樹脂の床板材を貼着したり、その他などによる仕上げで床面１０を形成するのである。
【００１２】
図６はＵ字溝体１，１’を適宜接ぎ合わせて施工する例の垂直断面図である。
【００１３】
【発明の効果】
本発明は以上の通り構成するものであって、本発明でＵ字溝体の溝巾寸法を２ｃｍ〜５ｃｍの如く、一般的な靴底巾より狭い巾寸法に設計することは従来必要とされてきた溝蓋の使用を一切不要にできるのであり、従って本発明ではとりわけ食品工場、薬品工場、業務用厨房などの床面に対し施工して、該箇所で働く作業者の歩行や作業車などの走行に何ら支障を生じせしめたりするものとならないのであり、且つＵ字溝体は細巾で浅深、しかもその溝底部には一定傾斜角度の勾配が形成されていることからして、該溝内へ流入し排水桝から排出されるまでの溝底部や溝内壁面などへ付着して残留される水分の全体容量を可及的に小容量なものにできることから、室内湿度が上昇して室内細菌数が増えたりすることがなくなり、従って生産製品に悪影響を及ぼしたりすることのないものとなる。
【００１４】
一方、清掃作業や目視による確認が極めて簡便且つ迅速に行い得るものとなるのであり、且つ蓋に付着する夾雑物やこれに巣喰う細菌類による衛生上の問題を含めて同時に解消することのできるものとなる。
他方、従来の既製品に比べ本発明の細型Ｕ字溝体はその施工にさいし、土間や床面の形状や大きさに関係なく現場に於ける対応が容易となることは勿論のこと、その他高さ調整や微妙な勾配調整なども容易になし得られ、従って迅速で効率の良い作業を遂行できるものとなる。
なお、張り出し鍔体の裏面側へ取付ける棒管材は、Ｕ字溝体として本発明が肉厚１ｍｍ〜３ｍｍ程度の比較的肉薄のステンレス材の成型品となした溝部上縁を強固且つ安定的に補強し、容易に変形させたりすることの無い上で役立つものとなる。なお、本発明で使用する棒管材は断面角形や丸形その他のものでも差し支えなく、また内部を中空にしなくても良いが、図示例の如く内部を中空に形成したものでは軽量化に寄与し、且つ運搬など持ち運びに優れる。
【図面の簡単な説明】
【図１】本発明に係る細型Ｕ字溝体の斜視図である。
【図２】上記の他の例の斜視図である。
【図３】Ａ，Ｂは上記細型Ｕ字溝体の左右側壁面に対し、Ｌ字状板を取付けた斜視図である。
【図４】上記細型Ｕ字溝体の施工作業例を示す斜視図である。
【図５】図４のＸ−Ｘ線切断側面図である。
【図６】同じく施工例の側断面図である。
【符号の説明】
１，１’　　　細型Ｕ字溝体
１ａ，１ｂ　　逆Ｌ字状の張り出し鍔体
２　　　Ｌ字状板
３　　　棒管材
４　　　スラブコンクリート
５　　　支持架台
６　　　ボルト
７　　　ナット
８　　　排水桝
９　　　モルタル、コンクリート打ち
１０　　床面
【図１】
2004100240.tif 000003
【図２】
2004100240.tif 000004
【図３】
2004100240.tif 000005
【図４】
2004100240.tif 000006
【図５】
2004100240.tif 000007
【図６】
2004100240.tif 000008